(57)【要約】【課題】本発明は、吸音構造体に関し、従来の吸音構造体においては、吸音効果が低かったり、大きな設置スペースが必要であったり、設置の自由度が低かったりすることが課題であって、それを解決することである。【解決手段】空洞部２ａが細長い有底筒体２と、該筒体の一端側開口部に設けた吸音材３と、該筒体の一端側開口端面と室内構成体の表面４との間に所要の隙間を設ける間隙維持手段とで吸音体が構成され、前記吸音体が、その空洞部の長手方向の軸ａと前記室内構成体の表面４とが直交するように配置されるとともに、前記筒体の一端側開口部２ｃの端面と前記室内構成体の表面４との間に間隙維持手段で隙間５が設けられて配設されてなる吸音構造体１とするものである。【選択図】図１
2015232637.tif 000002
【特許請求の範囲】
【請求項１】
空洞部が細長い有底筒体と、該筒体の一端側開口部に設けた吸音材と、該筒体の一端側開口端面と室内構成体の表面との間に所要の隙間を設ける間隙維持手段とで吸音体が構成され、
前記吸音体が、その空洞部の長手方向の軸と前記室内構成体の表面とが直交するように配置されるとともに、前記筒体の一端側開口部の端面と前記室内構成体の表面との間に間隙維持手段で隙間が設けられて配設されてなること、
を特徴とする吸音構造体。
【請求項２】
吸音材は、筒体の一端側開口部を底面と平行に閉蓋するように、配設されていること、
を特徴とする請求項１に記載の吸音構造体。
【請求項３】
吸音材は、筒体の一端側開口端面と室内構成体の表面との間の隙間に、筒体の胴部と平行に筒状に巻装されていること、
を特徴とする請求項１または２に記載の吸音構造体。
【請求項４】
吸音材は、抵抗材であること、
を特徴とする請求項１乃至３のいずれか１項に記載の吸音構造体。
【請求項５】
吸音体の設置位置は、室内構成体である床に配置される場合には、壁際に配置させること、
を特徴とする請求項１乃至４のいずれか１項に記載の吸音構造体。
【発明の詳細な説明】
【技術分野】
【０００１】
本発明は、主に低周波数の吸音に効果的な吸音構造体に関するものである。
【背景技術】
【０００２】
従来、建物などの室内において、１００Ｈｚ前後の低周波数帯域の吸音を行うには、例えば、図４（Ａ）に示すように、室内の壁面に背後空気層を介在させて、多孔質な板部材を配設したり、図４（Ｂ）に示すように、壁体に共鳴器を埋設した構造にしたりするものが知られている。
【先行技術文献】
【特許文献】
【０００３】
【特許文献１】特開平０７−３０２０８７号公報（特許第２７８５６８７号）
【特許文献２】特開２０１４−０５２５３９号公報
【発明の概要】
【発明が解決しようとする課題】
【０００４】
しかし、従来例として図４（Ａ）に示す吸音構造体では、背後空気層の厚さを十分に取らないと、低音域の吸音効果を向上させることができず、また、従来例として図４（Ｂ）に示す吸音構造体では、吸音効果が低いと言う課題がある。
【０００５】
このほか近年、低周波数帯域の吸音に、気柱共鳴を利用した吸音体が知られている。例えば、特許文献１に記載された吸音構造体では、複数の空胴を有し開口部を互いに隣接させて配置し、長手方向の空洞を壁などに沿わせて配置したものである。しかしながら、この吸音構造体は複数個の空洞相互間の開口部を隣接させ連成振動によってエネルギーを消費させるものであるので、単体の吸音構造体によって吸音させるものではない。
【０００６】
また、特許文献２に記載された吸音構造体では、筒状の空洞を壁の内部に設けて気柱共鳴させるとともに、その開口部に吸音材を配置してなるものである。しかしながら、この吸音構造体では、壁内部に空洞を設けるので、製造コストが嵩むと共に、室内空間の残響性能に応じて、吸音体の位置を自由に移動させる自由度が無いという課題がある。本発明に係る吸音構造体は、このような課題を解決するために提案されたものである。
【課題を解決するための手段】
【０００７】
本発明に係る吸音構造体の上記課題を解決して目的を達成するための要旨は、空洞部が細長い有底筒体と、該筒体の一端側開口部に設けた吸音材と、該筒体の一端側開口端面と室内構成体（床、壁、天井のいずれか一つを言う、以下同じ）の表面との間に所要の隙間を設ける間隙維持手段とで吸音体が構成され、前記吸音体が、その空洞部の長手方向の軸と前記室内構成体の表面とが直交するように配置されるとともに、前記筒体の一端側開口端面と前記室内構成体の表面との間に間隙維持手段で隙間が設けられて配設されてなることである。
【０００８】
前記吸音材は、筒体の一端側開口部を底面と平行に閉蓋するように、配設されていることである。
【０００９】
前記吸音材は、筒体の一端側開口端面と室内構成体の表面との間の隙間に、筒体の胴部と平行に筒状に巻装されていることを含むものである。
【００１０】
更に、前記吸音材は、抵抗材であることである。
【００１１】
また、前記吸音体の設置位置は、室内構成体である床に配置される場合には、壁際に配置させることである。
【発明の効果】
【００１２】
本発明の吸音構造体によれば、気柱共鳴を生じる吸音体の一端側開口部を、空洞部の長手方向の軸と壁面若しくは床面とが直交させて、且つ、近接させることで、前記開口部周辺の粒子速度が増大し、その開口部に吸音材（抵抗材）を設けたことで、激しく振動している空気の粒子と吸音材（抵抗材）との摩擦によって、空気の粒子の振動エネルギーが効率よく熱エネルギーに変換され、高い吸音効果が得られると言う優れた効果を奏するものである。
【００１３】
また、吸音体は、室内構成体の表面に隙間を維持して置くだけで機能し、更に、床の壁際に置くと一層吸音効果が増すので、従来よりも設置スペースを必要としないで、設置位置の移動などにも自由度が大きく、多様な室内の形状・空間の広さ等に応じて、低周波数帯域の音を効果的に吸音することができるものである。
【図面の簡単な説明】
【００１４】
【図１】本発明に係る吸音構造体１の実施例１，２を示す縦断面図（Ａ），（Ｂ）である。
【図２−Ａ】同吸音構造体１における残響室９内に複数個の吸音体２を配列する例を示す概略平面図（Ａ），（Ｂ），（Ｃ）である。
【図２−Ｂ】本発明に係る吸音構造体１の吸音力と比較するための、他の比較例に係る吸音構造体の縦断面図（Ａ），（Ｂ）である。
【図３−Ａ】筒体の材質が図中の上から順に塩化ビニル、紙、溶融亜鉛メッキ鋼板である吸音体２の開口部２ｃを上向きに設置し、吸音材３のうち材料ｂを付加した場合の、吸音体２の１体当たりの吸音力を示す特性曲線図である。
【図３−Ｂ】筒体の材質が図中の上から順に塩化ビニル、紙、溶融亜鉛メッキ鋼板である吸音体２の開口部２ｃを下向きに設置し、吸音材３のうち材料ｂを付加した場合の、吸音体２の１体当たりの吸音力を示す特性曲線図である。
【図３−Ｃ】図１（Ａ），（Ｂ）の本発明に係る吸音構造体１の第１実施例、第２実施例と、図２に示す他の比較例に係る吸音構造体との、吸音力の測定結果を示す特性曲線図である。
【図４】従来例に係る吸音構造体の例を示す縦断面図（Ａ），（Ｂ）である。
【発明を実施するための形態】
【００１５】
本発明に係る吸音構造体１は、図１（Ａ），（Ｂ）に示すように、吸音体２の開口部２ｃを、室内構成体（床、壁、天井のいずれか一つを言う）の、例えば、床の表面４に向けて設置することである。
【実施例１】
【００１６】
本発明に係る吸音構造体１は、図１（Ａ），（Ｂ）に示すように、空洞部２ａが細長い有底筒体２ｂと、該筒体２ｂの一端側開口部２ｃに設けた吸音材３と、該筒体２ｂの一端側開口部２ｃの端面と、前記室内構成体の表面４との間に所要の隙間５を設ける間隙維持手段とで、吸音体２が構成されている。
【００１７】
前記筒体２ｂは、その大きさが、一例として、直径２００ｍｍ、長さ７００ｍｍ、材質は、塩化ビニル製、紙、溶融亜鉛メッキ鋼板、としている。この筒体２ｂの両側端の開口部は、その片方が厚さ９ｍｍのベニヤ板で密閉、閉蓋されていて、他方は、開口部２ｃである。
【００１８】
前記間隙維持手段は、図示していないが、金属製、若しくは、合成樹脂製の硬質のブロックで、一例として、その高さが３０ｍｍである。
【００１９】
前記吸音体２が、図１（Ａ）に示すように、その空洞部２ａの長手方向の軸ａと、前記室内構成体の表面４とが直交するように配置されるとともに、前記筒体２ｂの一端側開口部２ｃの端面と、該開口部２ｃが向けられた前記室内構成体の表面４との間に、例えば、所望高さ（一例として３０ｍｍ）の介在物などによる前記間隙維持手段で隙間５が設けられ、例えば、室内の床の中央部や壁際に配設されて、吸音構造体１が形成されている。
【００２０】
前記吸音材３は、図１（Ａ）に示すように、筒体２ｂの一端側開口部２ｃを、筒体２ｂの底面と平行に閉蓋するように、配設されている。
【００２１】
上記吸音構造体１の構造に至る前に、前記吸音体２の気柱共鳴による吸音力を、図２−Ａ（Ａ）〜（Ｃ）に示す残響室（容積３１３ｍ２、表面積２７３ｍ２）９で、吸音体２の配置や向きによる吸音力の変化を予め検証する。残響室法吸音率の測定には、試験体、試験体（吸音体２）の設置方法、測定周波数を除いてＪＩＳ  Ａ  １４０９  に準拠して行う。尚、試験体（吸音体２）同士の距離は１ｍ以上、残響室９の中央に６体、中央に１２体、外周に６体とした。
【００２２】
前記試験体である吸音体２の大きさは、長さ７００ｍｍ、直径２００ｍｍ、材質は、塩化ビニル製（厚さ、７．０ｍｍ、重さ４．６ｋｇ）、紙（厚さ４．０ｍｍ、重さ１．４ｋｇ）、溶融亜鉛メッキ鋼板（厚さ０．５ｍｍ、重さ２．３ｋｇ）、である。
【００２３】
また、前記吸音材３の材質は、例えば、２種類用意し、材料ａが、流れ抵抗（Ｎｓ／ｍ３）が、約３００、厚さが１．７ｍｍ、面密度（Ｋｇ／ｍ２）が２．６であり、材料ｂが、流れ抵抗（Ｎｓ／ｍ３）が、約１００、厚さが１．４ｍｍ、面密度（Ｋｇ／ｍ２）が１．９である。
【００２４】
その結果、図３−Ａ，図３−Ｂに示すように、試験体（吸音体２）は、共鳴器の材質や開口部２ｃの状態によらず、１００Ｈｚ付近にピークを有する吸音特性であり、試験体（吸音体２）を、図２−Ａ（Ｃ）に示すように、床の外周部（壁際）に配置した場合が、中央部に配置するよりも、ピークが０．１〜０．４程度大きくなっている。試験体（吸音体２）の材質（塩化ビニル、紙、溶融亜鉛メッキ鋼板）の相違は、一部を除いて殆ど見られない。
【００２５】
また、吸音材３の有無による吸音力の差は、前記材料ａの場合では殆ど見られないが、上向きの開口部２ｃに前記材料ｂを付加した場合は、吸音力のピークが０．１〜０．３程度増加し、更に、下向きの開口部２ｃに材料ｂを付加した場合には、条件によって吸音力のピークが０．２〜０．４程度増加した。これにより、材料ａよりも材料ｂの方が吸音力が大きく、試験体（吸音体２）の材質が吸音力に及ぼす影響は小さく、吸音体２の設置位置や、開口部２ｃの向きによって吸音力が大きく異なるものである。
【００２６】
更に、前記吸音体２の開口部２ｃにおける粒子速度を測定したところ、前記開口部２ｃを室内構成体の表面４に近接させた場合に、粒子速度レベルが顕著に増大する。
【００２７】
上記のような結果から、本発明に係る吸音構造体１として、図１（Ａ），（Ｂ）に示すように、塩化ビニル製（直径２００ｍｍ，長さ７００ｍｍ）の吸音体２の開口部２ｃを、室内構成体の一つである床の表面４に向かって下向きにし、間隙維持手段で約３０ｍｍの隙間５を設け、吸音材３の材料を、前記材料ｂ（流れ抵抗（Ｎｓ／ｍ３）が、約１００、厚さが１．４ｍｍ、面密度（Ｋｇ／ｍ２）が１．９である）とする。
【００２８】
尚、図２−Ｂ（Ａ），（Ｂ）に示すように、比較用の試験例として、吸音体１０の開口部１１ｃを上向きにして前記吸音材３を設けない場合と、前記開口部１１ｃに吸音材３（上記の材料ｂ）を設けた場合とを構成して比較する。試験条件は、残響室９の壁際（図２−Ａ（Ｃ））に配置して、設置方法や測定周波数の他は前記ＪＩＳ  Ａ  １４０９の試験と同様である。
【００２９】
その結果、図３−Ｃに示すように、低周波数帯域における吸音力（ｍ２）を測定すると、開口部２ｃを上に向けるとともに、開口部２ｃに吸音材３を付加しない場合（図２−Ｂ（Ａ）に示すタイプＡでは吸音力が０．３であり、開口部２ｃに吸音材３を付加した場合のタイプＢ（図２−Ｂ（Ｂ））では吸音力が０．５５であり、本発明に係るタイプＣ１（図１（Ａ））では吸音力が約０．７５であり、本発明に係る吸音構造体１の方が明らかに、吸音力が大きい結果となっている。
【実施例２】
【００３０】
また、他の実施例として、図１（Ｂ）に示すように、前記吸音材３は、筒体２ｂの一端側開口部２ｃの端面と、室内構成体の表面４との間の隙間５に、筒体２ｂの胴部と平行に筒状にして、巻装されているタイプＣ２がある。前記タイプＣ１に対する変形例の吸音構造体１であるが、この場合にも、図３−Ｃに示すように、低周波数帯域の吸音力がピークで約１．０となっていて、比較例の前記タイプＡ，Ｂよりも、吸音力が大きい結果となっている。
【００３１】
このように、吸音体２の開口部２ｃを、室内構成体（天井、壁、床のいずれか一つ）の表面４に向けて、隙間５を有して近接させ、前記開口部２ｃに、吸音材３として抵抗材を設けることで、低周波数帯域の音を効果的に吸音できるようになるものである。
【産業上の利用可能性】
【００３２】
本発明に係る吸音構造体１は、吸音体２の開口部を室内構成体の表面４に直交させ近接させて置くだけで、低周波数帯域の吸音がなされるので、多様な建築空間に広く適用できるものである。
【符号の説明】
【００３３】
１          吸音構造体、
２          吸音体、                      ２ａ      空洞部、
２ｂ        筒体、                         ２ｃ      開口部、
３          吸音材（抵抗材）、
４          表面、      
５          隙間、
６          剛壁、      
７          多孔質材、
８          共鳴器、
９          残響室、
１０        吸音体、  
１１ａ      筒体、                          １１ｂ    空洞部、
１１ｃ      開口部、      
ａ          吸音体の軸。
【図１】
2015232637.tif 000003
【図２−Ａ】
2015232637.tif 000004
【図２−Ｂ】
2015232637.tif 000005
【図３−Ａ】
2015232637.tif 000006
【図３−Ｂ】
2015232637.tif 000007
【図３−Ｃ】
2015232637.tif 000008
【図４】
2015232637.tif 000009